(57)【要約】【課題】  給油時に、運転者の携帯電話機の電源を自動的にオフする、または運転者の携帯電話機に電源をオフすることを促すメッセージを自動的に表示する。【解決手段】  フューエルリッド開閉検知アダプタ１は、給油のためにフューエルリッドが開いたことを検出すると、無線通信を用いて携帯電話機２にフューエルリッドが開いたことを通知する。そして、メッセージを受信した携帯電話機２は、メッセージ受信部２０５でメッセージ内容を判定し、フューエルリッドが開いたことを通知するメッセージであった場合、携帯電話機２の電源を自動的にオフする、または、自装置の表示部に電源をオフすることを促すメッセージを表示する。【選択図】図１
2016009422.tif 000002
【特許請求の範囲】
【請求項１】
車両に設置する無線アダプタと、前記無線アダプタと無線通信する携帯電話機と、から成るシステムであって、
前記無線アダプタは、自無線アダプタが設置された車両の給油に係る状態を判定する給油状態判定手段と、前記給油状態判定手段が給油を開始する状態であると判定した場合に前記携帯電話機へ給油を開始する旨の給油開始通知を無線通信により送信する給油開始通知送信手段と、を有し、
前記携帯電話機は、前記無線アダプタから前記給油開始通知を受信する給油開始通知受信手段と、前記給油開始通知を受信した場合に自携帯電話機の電源を自動的にオフする電源オフ手段または自携帯電話機の電源をオフすることを促すメッセージを表示する電源オフ表示手段と、を有することを特徴とする防爆機能を有する携帯電話機システム。
【請求項２】
請求項１に記載の無線システムであって、
前記給油状態判定手段は、前記車両が備える給油口を塞ぐフューエルリッドの開閉、または前記フューエルリッドの開閉を操作するオープナーの動きを監視し、前記フューエルリッドの開状態または前記フューエルリッドを開ける前記オープナーの動きを検知した場合に、給油を開始する状態であると判定することを特徴とする防爆機能を有する携帯電話機システム。
【請求項３】
請求項１または２に記載の無線システムであって、
前記無線アダプタは、前記給油状態判定手段が給油を開始する状態であると判定した場合に、前記携帯電話機の電源をオフする旨または前記携帯電話機の電源をオフすることを促す音声ガイダンスを再生する電源オフ音声ガイダンス再生手段を、さらに有することを特徴とする防爆機能を有する携帯電話機システム。
【請求項４】
請求項１〜３のいずれかに記載の無線システムであって、
前記無線アダプタは、給油が終了した状態であると前記給油状態判定手段が判定した場合に、前記携帯電話機の電源をオンすることを促す音声ガイダンスを再生する電源オン音声ガイダンス再生手段を、さらに有することを特徴とする防爆機能を有する携帯電話機システム。
【請求項５】
請求項４に記載の無線システムであって、
前記給油状態判定手段は、前記フューエルリッドの閉状態を検知した場合に、給油が終了した状態であると判定することを特徴とする防爆機能を有する携帯電話機システム。
【発明の詳細な説明】
【技術分野】
【０００１】
本発明は、携帯電話機の電源を自動的にオフする技術に関する。
【背景技術】
【０００２】
携帯電話機が備えるマナーモードやドライブモード等を、状況に応じて自動的に起動する技術がある。例えば、特許文献１には、自動車に取り付けられたアダプタがドアの施錠／開錠を検知すると、携帯電話機を強制的にドライブモードへ移行させる乗車支援システムが記載されている。
【０００３】
しかしながら、特許文献１に記載されている技術は、運転中における携帯電話機の使用を制限するためのものであり、ガソリンスタンドにおける給油時の電源オフについては考慮されていない。
【０００４】
ガソリンスタンドで給油する際、給油者が携帯電話機等の電子機器を携行したまま給油作業を行うことは、ガソリンに引火して爆発する可能性があるため禁止されている。このためガソリンスタンドの従業員等は、携帯電話機自体を所持しない、または防爆機能を有する特殊な携帯電話機を所持することが一般的であった。
【０００５】
一方、運転者が自らガソリンを給油するセルフ給油のガソリンスタンドの普及に伴って、電源の入った携帯電話機を所持したまま給油する行為が横行している。これは、運転者側が給油時に携帯電話機の電源をオフすべきことを知らない、または知っていても電源をオフすることを忘れるもしくは無視するためであり、ガソリンスタンド側も掲示等によって注意喚起しているが、効果が低いのが実態である。このため、給油時には、携帯電話機のモード切替に止まらず、運転者の携帯電話機の電源を自動的にオフすること、または運転者の携帯電話機に電源をオフすることを促すメッセージを自動的に表示することが望まれる。
【先行技術文献】
【特許文献】
【０００６】
【特許文献１】特許公開２００９−３８７４５号公報
【発明の概要】
【発明が解決しようとする課題】
【０００７】
そこで、本発明の課題は、給油する際に、運転者が所持している携帯電話機の電源を自動的にオフする、または電源をオフすることを促すメッセージを自動的に表示する携帯電話機システムを提供することにある。
【課題を解決するための手段】
【０００８】
上記課題を解決するために、本発明は、車両に設置する無線アダプタと、前記無線アダプタと無線通信する携帯電話機と、から成るシステムであって、前記無線アダプタは、自無線アダプタが設置された車両の給油に係る状態を判定する給油状態判定手段と、前記給油状態判定手段が給油を開始する状態であると判定した場合に前記携帯電話機へ給油を開始する旨の給油開始通知を無線通信により送信する給油開始通知送信手段と、を有し、前記携帯電話機は、前記無線アダプタから前記給油開始通知を受信する給油開始通知受信手段と、前記給油開始通知を受信した場合に自携帯電話機の電源を自動的にオフする電源オフ手段または自携帯電話機の電源をオフすることを促すメッセージを表示する電源オフ表示手段と、を有することを特徴とする。
【発明の効果】
【０００９】
本発明によれば、給油する際に、運転者が所持している携帯電話機の電源を自動的にオフする、または電源をオフすることを促すメッセージを自動的に表示する携帯電話機システムを提供できる。
【００１０】
また、セルフ給油ではない一般的なガソリンスタンドで給油する場合であっても、運転者または同乗者が所持している携帯電話機の電源を自動的にオフする、または電源をオフすることを促すメッセージを自動的に表示するので、給油中に運転者または同乗者が携帯電話機を所持したまま車外に出る際の安全性を確保できるという効果もある。
【図面の簡単な説明】
【００１１】
【図１】図１は、本発明の第１実施形態に係る携帯電話機システムの概略構成図である。
【図２】図２は、本発明の第２実施形態に係る携帯電話機システムの概略構成図である。
【図３】図３は、本発明の第２実施形態に係る携帯電話機システムの動作フロー図である。
【図４】図４は、本発明の第２実施形態に係わる位置情報記憶部２１０に記憶する位置情報を模式的に表した図である。
【発明を実施するための形態】
【００１２】
以下に、本発明の第１の実施形態について説明する。
【００１３】
図１は、第１の実施形態に係る携帯電話機システムの概略構成図である。
【００１４】
図示するように、携帯電話機システムは、フューエルリッド開閉検知アダプタ１と、携帯電話機２から構成される。
【００１５】
フューエルリッド開閉検知アダプタ１は、図示しない自動車に設置され、当該自動車の燃料キャップに蓋をする車体と同系色のカバーであるフューエルリッドの開閉を検知すると、予め登録された携帯電話機に通知する。
【００１６】
携帯電話機２は、汎用的な携帯電話機またはスマートフォンであって、フューエルリッド開閉検知アダプタ１からの通知を受信すると自携帯電話機の電源をオン／オフする機能  のアプリケーションソフトウェアが予め自携帯電話機にインストールされているものとする。また、上記アプリケーションソフトウェアは予め所定のダウンロードサイトにアップデートされており、他の携帯電話機またはスマートフォンからもダウンロード可能であるものとする。
【００１７】
フューエルリッド開閉検知アダプタ１は、フューエルリッドオープナー１０１と、フューエルリッド開閉検知部１０２と、メッセージ送信部１０３と、無線通信部１０４と、から構成される。
【００１８】
フューエルリッドオープナー１０１は、フューエルリッドを開ける装置であり、ユーザからのフューエルリッド開閉操作によってフューエルリッドを開閉する。
【００１９】
尚、フューエルリッドオープナー１０１は、自動車に設置されている物をそのまま使用するようにしても良い。また、第１の実施形態ではフューエルリッドオープナー１０１の開閉を検知しているが、フューエルリッドまたは、燃料キャップに直接、開閉検知装置またはセンサを設けるようにしてもよい。
【００２０】
フューエルリッド開閉検知部１０２は、フューエルリッドオープナー１０１の開閉を検知し、開操作を検知したならば、開操作を検知した旨を、閉操作を検知したならば、閉操作を検知した旨を、メッセージ送信部１０３に通知する。
【００２１】
メッセージ送信部１０３は、フューエルリッド開閉検知部１０２から開操作または閉操作を検知したことを通知されると、開操作を検知した旨または閉操作検知した旨のメッセージを作成し、無線通信部１０４に渡す。
【００２２】
無線通信部１０４は、携帯電話機２との無線通信全般を処理する。無線通信部１０４は、携帯電話機２の無線通信部２０１との無線接続を確立する。具体的には、無線通信部１０４は、通信方法としてＢｌｕｅｔｏｏｔｈ（登録商標）を用いて無線通信を確立する。
【００２３】
また、無線通信部１０４は、メッセージ送信部１０３から開操作または閉操作を検知した旨のメッセージを渡されると、確立した無線通信を介してそのメッセージを携帯電話機２に送信する。
【００２４】
尚、第１の実施形態では、フューエルリッド開閉検知アダプタ１は、携帯電話機２との無線通信にＢｌｕｅｔｏｏｔｈ（登録商標）を用いて説明するが本願はこれに限定されない。赤外線通信や、無線通信規格であるＷｉ−Ｆｉ（Ｗｉｒｅｌｅｓｓ  Ｆｉｄｅｌｉｔｙ）（登録商標）、３Ｇ、または、ＬＴＥ（Ｌｏｎｇ  Ｔｅｒｍ  Ｅｖｏｌｕｔｉｏｎ）等、汎用の携帯電話機が備える無線通信機能であえば何であってもよい。これにより、フューエルリッド開閉検知アダプタ１は汎用的な携帯電話機との接続が可能となる。
【００２５】
さらに、フューエルリッド開閉検知アダプタ１は、携帯電話機２との無線通信がＷｉ−Ｆｉ（登録商標）や３Ｇ、ＬＴＥ等の無線機能を用いてインターネットに接続する無線通信であった場合、予め携帯電話機２の電子メールアドレスを記憶しておき、携帯電話機２宛に開操作または閉操作を検知した旨の電子メールやショートメールを生成して送信するようにしてもよい。これにより、携帯電話機２は電子メールにより電源のオン／オフを促すアラームを受信できるので、予めアプリケーションソフトウェアを携帯電話機２にインストールする必要がなくなる。
【００２６】
携帯電話機２は、無線通信部２０１と、携帯電話制御部２０２と、表示部２０３と、マンマシンＩＦ２０４と、メッセージ受信部２０５と、電源ＯＮ／ＯＦＦ部２０６と、から構成される。
【００２７】
無線通信部２０１は、無線電話網に接続して携帯電話機２における無線通信全般を制御する。また、無線通信部２０１は、開閉検知アダプタ１との無線通信全般を処理する。無線通信部２０１は、フューエルリッド検知アダプタ１の無線通信部１０４との無線接続を確立する。
【００２８】
具体的には、無線通信部２０１は、通信方法としてＢｌｕｅｔｏｏｔｈ（登録商標）を使用して実現する。また、無線通信部２０１は、フューエルリッド検知アダプタ１から確立した無線通信を介して開操作または閉操作を検知した旨メッセージを受信すると、そのメッセージをメッセージ受信部２０５に送信する。また、無線通信部２０１は、図示しない無線基地局と無線通信を行い無線電話網に接続し、携帯電話機としての無線通信機能全般を処理する。
【００２９】
携帯電話制御部２０２は携帯電話機２の動作全般を処理する。
【００３０】
表示部２０３はＬＣＤやスピーカなどの携帯電話機２の表示部である。
【００３１】
マンマシンＩＦ２０４は携帯電話機２の外部からのダイヤルキー、タッチパネル、マイク等の入力を受け付けるまたは、携帯電話機２の電源操作を受付けるマンマシンインターフェースの入力部である。
【００３２】
メッセージ受信部２０５は、無線通信部２０１から受信したメッセージの内容を判断する。メッセージ受信部２０５は、受信したメッセージが開操作を検知した旨のメッセージであれば、電源ＯＮ／ＯＦＦ部２０６に電源オフを要求し、閉操作を検知した旨のメッセージであれば、電源オンを要求する。
【００３３】
電源ＯＮ／ＯＦＦ部２０６は、メッセージ受信部２０５からの要求に応じて自携帯電話機２の電源をオン／オフする。
【００３４】
以上、本実施の第１の実施形態について説明した。
【００３５】
第１の実施形態において、フューエルリッド開閉検知アダプタ１は、フューエルリッドオープナー１０１の開閉を検知すると、開閉された旨のメッセージを自装置に予め登録された携帯電話機２に通知する。そして、通知を受けた携帯電話機２は、通知されたメッセージが電源オン／オフを要求するメッセージであったならば、電源をオン／オフする。
【００３６】
これにより、携帯電話機２のユーザは、ガソリンスタンドで給油前に（給油口を開ける前に）、携帯電話機２の電源が自動的にオフされ、ガソリン引火による爆発の危険を未然に防ぐことができる。
【００３７】
尚、第１の実施形態では、携帯電話機２は、自携帯電話機の電源をオン／オフする内容で説明したが、電源をオン／オフする代わりに携帯電話機２の電源のオン／オフを促すアラームを表示するようにしても良い。
【００３８】
尚、第１の実施形態では、フューエルリッド検知アダプタ１は、フューエルリッド開操作を検知するとこれを携帯電話機２へ通知しているが本願はこれに限定しない。例えば、フューエルリッド検知アダプタ１にスピーカなどの表示機能を設け、携帯電話機２に電源のオフを促すアラームを鳴らすようにしても良い。または、フューエルリッド開操作を通知して携帯電話機２の電源がオフの状態で、フューエルリッド閉操作を検知すると携帯電話機２が電源のオンを促す旨のアラームを自アダプタの表示機能に表示するようにしてもよい。
【００３９】
尚、第１の実施形態では、携帯電話機２は、電源オフの状態でもメッセージ受信部２０５が電力を受電し、フューエルリッド開閉検知アダプタ１からフューエルリッド閉操作の通知を受信すると、他の機能ブロックを起動することを前提に説明しているが本願はこれに限定されない。例えば、フューエルリッド開閉検知アダプタ１が、一度フューエルリッド開操作を検知すると、定期的（例えば２分毎）に、開／閉を検知して携帯電話機２に通知する。そして、携帯電話機２は、フューエルリッド開閉検知アダプタ１が通知されるタイミングで自携帯電話機の電源をオンしてフューエルリッド開閉検知アダプタ１からの通知を受信するようにしてもよい。
【００４０】
次に本発明の第２の実施形態を説明する。第１の実施形態と第２の実施形態の違いは、第１の実施形態における発明対象がフューエルリッド開閉検知アダプタ１と携帯電話機２から構成される携帯電話機システムであるのに対し、第２の実施形態における発明対象が、携帯電話機２Ａのみである点である。
【００４１】
図２は第２実施形態に係る携帯電話機システムの概略構成図である。尚、上記の第１実施形態と同一構成については同一符号を付して説明を省略する。
【００４２】
携帯電話機２Ａは、予めカーナビゲーション装置３と無線通信を確立している（例えばＢｌｕｅｔｏｏｔｈ（登録商標））。そして、携帯電話機２Ａは、確立したカーナビゲーション装置３との無線通信が切断されると、自携帯電話機２Ａが備えるＧＰＳ（Ｇｌｏｂａｌ  Ｐｏｓｉｔｉｏｎｉｎｇ  Ｓｙｓｔｅｍ）機能により現在地の位置情報を取得して、現在地がガソリンスタンドの場合はアラーム表示やアラーム鳴動を行う。
【００４３】
カーナビゲーション装置３は、自動車に搭載され道路案内を行う道路案内装置である。また、カーナビゲーション装置３は、自動車が発電する電力によって駆動し、自動車のエンジン始動・エンジン停止によって自装置の電源がオン／オフされるものとする。また、カーナビゲーション装置３は、携帯電話機２Ａと連動して、Ｂｌｕｅｔｏｏｔｈ（登録商標）によるハンズフリー機能を有しているものとする。
【００４４】
具体的には、カーナビゲーション装置３は、通話用のマイクと携帯電話機２Ａとの間に無線通信する機能（例えば、Ｂｌｕｅｔｏｏｔｈ（登録商標））を有し、自動車のエンジン始動により自装置を起動すると、携帯電話機２Ａを検出し、当該携帯電話機と無線接続して通信路を確立する。通信路を確立後、携帯電話機２Ａが着信を検出すると、カーナビゲーション装置３は、自装置の表示部に着信を表示し、ユーザが応答をするとカーナビゲーション装置３に接続され自動車に搭載されたスピーカ並びにハンズフリー用のマイクの入出力音声を、確立した通信路を介して送受信してハンズフリー機能を実現する。尚、上記ハンズフリー機能は、公知技術であり、一般的なカーナビゲーション装置において標準装備されている機能である。
【００４５】
携帯電話機２Ａは、無線通信部２０１と、携帯電話制御部２０２と、表示部２０３と、マンマシンＩＦ２０４と、対車通信監視部２０７と、現在地判定部２０８と、ＧＰＳ受信部２０９と、位置情報記憶部２１０と、アラーム制御部２１１と、から構成される。
【００４６】
無線通信部２０１は、図示しない無線電話網に接続して携帯電話機２Ａにおける無線通信全般を制御する。また、無線通信部２０１は、カーナビゲーション装置３との無線通信全般を処理する。
【００４７】
対車通信監視部２０７は、無線通信部２０１を監視し、カーナビゲーション装置３との無線通信が接続から切断へ移行したこと、または、切断から接続へ移行したことを検出し検出結果を現在地判定部２０８に通知する。
【００４８】
現在地判定部２０８は、対車通信監視部２０７から無線接続が接続から切断へ移行したことを通知されると、ＧＰＳ受信部２０９に現在地の位置情報の取得を指示する。そして、ＧＰＳ受信部２０９から現在地の位置情報を受信すると、位置情報記憶部２１０を参照して現在地がガソリンスタンドか否かを判断する。そして、現在地判定部２０８は、現在地がガソリンスタンドと判断したならば、アラーム制御部２１１に電源のオフを促すアラームの表示を指示する。また、現在地判定部２０８は、対車通信監視部２０７から切断から接続へ移行したことを通知されると、アラーム制御部２１１に表示中のアラームの停止を指示する。
【００４９】
ＧＰＳ受信部２０９は、現在地判定部２０８から要求があると、ＧＰＳ機能を用いて位置情報を取得し、取得した位置情報を現在地判定部２０８へ送信する。
【００５０】
位置情報記憶部２１０は、ガソリンスタンド位置情報テーブル２０１０を記憶する記憶部である。
【００５１】
図４は位置情報記憶部２１０が記憶するガソリンスタンド位置情報テーブル２０１０を模式的に表した図である。
【００５２】
図示するように、ガソリンスタンド位置情報テーブル２０１０は、ガソリンスタンド名を示すガソリンスタンド名のフィールド２０１１と、当該ガソリンスタンドが存在する位置を示す位置情報のフィールド２０１２とから構成される。
【００５３】
現在地判定部２０８は、ＧＰＳ受信部２０９から位置情報を受信すると、ガソリンスタンド位置情報テーブル２０１０を参照して、渡された位置情報を含む位置情報のフィールド２０１２を検索する。渡された位置情報を含む位置情報のフィールド２０１２を検出した場合、現在地判定部２０８は、現在地がガソリンスタンドであると判定し、アラーム制御部２１１に電源のオフを促すアラームを鳴動するよう指示する。
【００５４】
アラーム制御部２１１は、メッセージ受信部２０５からの指示に応じてアラームを表示または停止する。
【００５５】
またアラームの停止は、携帯電話制御部２０２がマンマシンＩＦ２０４からのアラームの停止操作を検出した場合に、表示部２０３に表示中のアラームを停止するようにしてもよい。
【００５６】
図３は、第２の実施形態に係る携帯電話機の動作フロー図である。本フローは、携帯電話機２Ａの電源が投入された状態から開始する。
【００５７】
まず、携帯電話機２Ａは、接続中のカーナビゲーション装置３との無線通信が切断する（Ｓ２０１）、または新たにカーナビゲーション装置３との無線通信が接続する（Ｓ２０５）、のいずれかを待つ。
【００５８】
カーナビゲーション装置３との無線通信が切断すると（Ｓ２０１でＹＥＳ）、携帯電話機２Ａは、位置情報を取得し（Ｓ２０２）、取得した位置情報とガソリンスタンド位置情報テーブル２０１０から、現在地がガソリンスタンドか否かを判断する（Ｓ２０３）。
【００５９】
現在地がガソリンスタンドと判断した場合（Ｓ２０３でＹＥＳ）、携帯電話機２Ａは、アラームを生成して、これを表示する。（Ｓ２０４）。
【００６０】
新たにカーナビゲーション装置３との無線通信が接続されると（Ｓ２０５でＹＥＳ）、携帯電話機２Ａは、アラームがＯＮか否かを判定する（Ｓ２０６）。
【００６１】
アラームがＯＮならば（Ｓ２０６でＹＥＳ）、携帯電話機２Ａは、アラームをＯＦＦし（Ｓ２０７）、ステップ２０１へ戻る。
【００６２】
アラームがＯＮでない場合（Ｓ２０６でＮＯ）、携帯電話機２Ａは、ステップ２０１へ戻る。
【００６３】
以上、本実施の第２の実施形態について説明した。
【００６４】
第２の実施形態において、携帯電話機２Ａは、自動車に搭載されたカーナビゲーション装置３と無線接続し、自動車のエンジンオフによりカーナビゲーション装置３との無線接続が切断されたと検出すると、現在地がガソリンスタンドか否かを判定し、現在地がガソリンスタンドであると判定したならば、携帯電話機２Ａは、アラームを生成・表示する。
【００６５】
これにより、携帯電話機に上記機能を搭載するまたはスマートフォンに上記機能を実行するアプリケーションソフトウェアをインストールするだけで、ユーザは、ガソリンスタンドで給油前に（給油口を開ける前に）、携帯電話機２Ａの電源が入っていることに気づくことが出来、ガソリン引火による爆発の危険を未然に防ぐことができる。
【００６６】
尚、第２の実施形態では、ガソリンスタンド位置情報テーブル２０１０は、位置情報記憶部２１０に予め記憶されていることを前提に説明しているが、本願はこれに限定しない。マンマシンＩＦ２０４を介してユーザからガソリンスタンド名および位置情報の入力を受付け、ガソリンスタンド位置情報テーブル２０１０に記憶するようにしてもよいし、ネットワーク上にガソリンスタンド位置情報テーブル２０１０を管理する管理サーバを設け、複数の携帯電話機２Ａが図示しない無線電話網を介して当該管理サーバにアクセスして、ガソリンスタンド位置情報テーブル２０１０を共有するようにしてもよい。
【００６７】
尚、第２の実施形態では、携帯電話機２Ａはカーナビゲーション装置３との無線通信が切断したことをトリガーとして本発明の処理を開始しているが、本願はこれに限定しない。例えば、車載用ハンズフリー装置の無線接続をトリガーとしても良いし、携帯電話機２Ａが車載用携帯電話充電器に接続し自動車からの電力を受電している場合に、自動車からの受電が切断されたことを検出するようにしてもよい。すなわち、携帯電話機２Ａが、自動車のエンジン停止を検出できる方法であれば何でもよい。
【００６８】
尚、第２の実施形態では携帯電話機２は、アラームを生成して表示するのみの装置だが、本願はこれに限定しない。例えば携帯電話機２は、汎用的に加速度センサやジャイロセンサを備えるスマートフォンであって、アラームの表示後に加速度センサやジャイロセンサを起動して自携帯電話機の動きを監視し、動きを所定期間（例えば５秒）以上検出したならば、自動的に電源をオフするようにしてもよい。これにより、アラームに気が付かずに給油しようとした場合であっても、自動で電源オフすることが可能となる。
【符号の説明】
【００６９】
１：フューエルリッド開閉検知アダプタ、２，２Ａ：携帯電話機、３：カーナビゲーション装置、１０１：フューエルリッドオープナー、１０２：フューエルリッド開閉検知部、１０３：メッセージ送信部、１０４：無線通信部、２０１：無線通信部、２０２：携帯電話制御部、２０３：表示部、２０４：マンマシンＩＦ、２０５：メッセージ受信部、２０６：電源ＯＮ／ＯＦＦ部、２０７：対車通信切断監視部、２０８：現在地判定部、２０９：ＧＰＳ受信部、２１０：位置情報記憶部、２１１：アラーム制御部。
【図１】
2016009422.tif 000003
【図２】
2016009422.tif 000004
【図３】
2016009422.tif 000005
【図４】
2016009422.tif 000006